(57)【要約】【課題】一対の保持具の脚部先端を嵌合させて梱包体として一体化し、ロール状物の運搬・保管時の信頼性を向上したロール状物保持具を提供する。【解決手段】ロール状物１１の芯管９の中空孔８の両側に、保持具１の円筒状支持部２が嵌入され、これら保持具１２、１３の方形状板状部の内面１Ａとロール状物１１の端面とが密着し、両保持具の脚部の先端同士はそれぞれ４箇所で嵌合し、さらに、梱包用バンド７によって緊締される。保持具は脚部の嵌合によって一体化されるので相互に回動ずれを生じることは無く、また、方形状板状部の内面１Ａにロール状物１１の端面が密着しているので、ロール状物１１が竹の子状に横方向に滑り出したり、損傷することが防止される。【選択図】      図５
2005022660.tif 000002
【特許請求の範囲】
【請求項１】
内面に円筒状支持部を突設し、外面に補強リブを有する方形状板状部と、前記方形状板状部の内面四角に突設した三角形状の断面を有する脚部とからなり、対角線上の２個の脚部が先端に凹部を有し、残部の対角線上の２個の脚部が先端に該凹部に嵌合する凸部を有する、一対の保持具からなることを特徴とするロール状物保持具。
【請求項２】
脚部の長さが円筒状支持部の長さよりも大きい請求項１記載のロール状物保持具。
【請求項３】
各保持具が脚部の長さを異にする請求項１又は２記載のロール状物保持具。
【請求項４】
方形状板状部の各側面に梱包用バンド溝を設けた請求項１〜３のいずれか１項に記載のロール状物保持具。
【請求項５】
請求項１〜４のいずれか１項に記載の一対の保持具の円筒状支持部を、芯管に帯状物を巻回したロール状物の該芯管に両側から嵌合してなることを特徴とするロール状物の保持構造。
【請求項６】
一対の保持具の脚部の凹部と凸部とが嵌合している請求項５記載のロール状物の保持構造。
【請求項７】
一対の保持具の方形状板状部の内面とロール状物の端面とが密着している請求項５又は６記載のロール状物の保持構造。
【請求項８】
一対の保持具の方形状板状部の内面とロール状物の端面との空間部に緩衝材を充填した請求項５又は６記載のロール状物保持構造。
【発明の詳細な説明】
【０００１】
【発明の属する技術分野】
本発明は、狭幅から広幅の帯状製品を芯管に巻回してなるロール製品を輸送・保管するためのロール状物保持具及びロール状物保持構造に関する。
【０００２】
【従来の技術】
従来より、プラスチックフィルム、プラスチックシート、紙などの主として比較的広幅の帯状製品を輸送・保管する場合には、これらの帯状製品を芯管（中空心部）に巻回してロール状物とし、輸送・保管中に帯状製品が側方に竹の子状に滑り出すのを防止するため、該ロール状物にプロテクターを組み付けて輸送・保管していた。
【０００３】
その一例として、ロール製品の端面を押さえる方形の基板部を設け、該基板部の裏面側の中央には、ロール製品の中空心部の中空孔に挿入可能に突設した円筒部からなり、且つ、該円筒部の内周に複数個の補強リブを軸方向に設けたロール製品支持用円筒部を設けると共に、基板部の裏面側の四角には、突設した三角形の断面形状を有する筒状体からなる段積み用脚部を、また、基板部の表面側の四角には、段積み用脚部の先端を挿入可能にした段積み用凹部とを設けた硬質剛性樹脂成形体から成るプロテクターが提案されている。さらに、基板部は正方形の板状体で形成され、その表側には溝形の断面形状を有し、且つ円筒部に連結して成る中央の環状部と基板部の正方形の周縁部とは、Ｔ字形の断面形状を有する複数の放射状リム部により連結されている（例えば、特許文献１参照）。
【０００４】
【特許文献１】
実用新案登録第２６０４９０７号公報
【０００５】
【発明が解決しようとする課題】
上記従来のロール製品用プロテクターにおいては、使用しないときのプロテクターは、段積みして輸送したり、保管したりする際には、上段に積み重ねられるプロテクターの脚部先端を、下段プロテクターの基板部の表面側に設けた凹部に挿入することによって機械的に嵌合し、また必要に応じて、バンド溝に梱包用バンドを掛けて全体を緊締しておき、これによって、プロテクター同士のずれを防止できる、すなわち、荷崩れを防止できるという特徴がある。
【０００６】
また、上記構成のプロテクターをロール製品に適用する際には、一対のプロテクターの基板部裏面側でロール製品の両端面を押さえて狭持すると共に、円筒部をロール製品の中空心部の中空孔に挿入してロール製品を支持し、必要に応じて、バンド溝に２本の梱包用バンドを十字状に掛けて全体を緊締し保持具として利用される。
【０００７】
しかしながら、ロール製品の幅寸法によっては、左右一対のプロテクターの脚部の先端は互いに接することがあっても、嵌合不能の形状であり、したがって、プロテクターの円筒部とロール製品の中空心部とは互いに回動自在となり、梱包用バンドを掛けた後であっても左右一対のプロテクターの方形基板部の底辺は、相互にぐらついたりして梱包体としては不安定で取扱い難いものであった。
【０００８】
また、円筒部に連結して成る中央の環状部と、方形基板部の周縁部とは、Ｔ字形の断面形状を有する複数個の放射状リム部によって連結されているので、隣接する放射状リム部間には多数の大きな空隙部が存在し、ロール製品の重量が大きい場合には強度的に不十分な場合があった。
【０００９】
本発明は、上記諸課題に鑑み、ロール製品の両端面を左右一対のプロテクターで押さえて狭持する際において、プロテクターの脚部先端を嵌合させて梱包体として一体化することにより安定化したロール状物保持構造を可能とすると共に、方形状板状部の外面には補強リブを設けて方形状板状部の強度を増大させ、ロール製品の重量が大きい場合であっても強度的に十分な保持具を提供することを目的とする。
【００１０】
【課題を解決するための手段】
上記目的を達成するために、本発明の第１に係る請求項１は、内面に円筒状支持部を突設し、外面に補強リブを有する方形状板状部と、前記方形状板状部の内面四角に突設した三角形状の断面を有する脚部とからなり、対角線上の２個の脚部が先端に凹部を有し、残部の対角線上の２個の脚部が先端に該凹部に嵌合する凸部を有する、一対の保持具からなることを特徴とするロール状物保持具を内容とする。
【００１１】
好ましい態様としての請求項２は、脚部の長さが円筒状支持部の長さよりも大きい請求項１記載のロール状物保持具である。
【００１２】
好ましい態様としての請求項３は、各保持具が脚部の長さを異にする請求項１又は２記載のロール状物保持具である。
【００１３】
好ましい態様としての請求項４は、方形状板状部の各側面に梱包用バンド溝を設けた請求項１〜３のいずれか１項に記載のロール状物保持具である。
【００１４】
本発明の第２に係る請求項５は、請求項１〜４のいずれか１項に記載の一対の保持具の円筒状支持部を、芯管に帯状物を巻回したロール状物の該芯管に両側から嵌合してなることを特徴とするロール状物の保持構造を内容とする。
【００１５】
好ましい態様としての請求項６は、一対の保持具の脚部の凹部と凸部とが嵌合している請求項５記載のロール状物の保持構造である。
【００１６】
好ましい態様としての請求項７は、一対の保持具の方形状板状部の内面とロール状物の端面とが密着している請求項５又は６記載のロール状物の保持構造である。
【００１７】
好ましい態様としての請求項８は、一対の保持具の方形状板状部の内面とロール状物の端面との空間部に緩衝材を充填した請求項５又は６記載のロール状物保持構造である。
【００１８】
【作用】
本発明のロール状物保持具及びロール状物保持構造は、方形状板状部の対角線上の２個の脚部の先端を凹部に形成し、残部の対角線上の２個の脚部の先端を前記凹部に嵌合するように凸部に形成したことにより、帯状物を巻回したロール状物の芯管に、円筒状支持部を両側から嵌合させると共に、脚部同士を対向させ且つその先端を嵌合させて、ロール状物の保持構造とすることが可能となり、これによって、芯管と保持具との相互の回動は不可能になるので梱包体として極めて安定したロール状物保持構造になり、運搬や保管が確実且つ容易である。
【００１９】
また、方形状板状部の外面には複数の補強リブを形成しているので、方形の板状部の強度を一層増大させ、帯状製品の重量が大きい場合にも強度的に十分なロール状物保持具を提供することができる。
【００２０】
また、各保持具の脚部の長さを異ならしめることにより、保持具の組み合わせにより、広幅から狭幅までの幅の異なるロール状物を上記の如く安定した梱包体とすることができる。
【００２１】
さらに、保持具の方形状板状部の内面とロール状物の端面とを密着させておくようにすれば、帯状製品が側方に竹の子状に滑り出すのを防止することが可能となる。
【００２２】
さらにまた、ロール状物の幅が狭いために保持具の方形状板状部の内面とロール状物の端面との間に空間部が生じるような場合には、該空間部に緩衝材を充填させることにより、帯状製品が側方に竹の子状に滑り出すのを防止するとともに、運搬などの際の衝撃力による変形や損傷から帯状製品を保護することが可能となる。
【００２３】
【発明の実施の形態】
以下、本発明のロール状物保持具及びロール状物保持構造の実施例を、図面に基づいて説明するが、本発明はこれらにより何等限定されるものではない。
【００２４】
実施例１
本発明の実施例１におけるロール状物保持具を、図１及び図２に基ずいて説明する。
図１の上半分は図２に示した平面図の上半分の左側面図であり、また下半分は図２に示した平面図の中心線断面図である。図２の上半分はロール状物保持具の内面を示す平面図、また下半分は図１のＸ−Ｘ線断面図である。
【００２５】
図１、図２に示すように、ロール状物保持具１は、平面視で方形状板状部からなり、その内面１Ａには円筒状支持部２を突設し、また、その外面１Ｂには井桁状あるいは放射状に複数個の補強リブ３が立設されている。
【００２６】
また、内面１Ａの四角のそれぞれには突設した三角形状の断面を有する脚部を備え、対角線上の２個の脚部４Ａの先端から根元までは、貫通孔形態の凹部５Ａを形成し、残部の対角線上の２個の脚部４Ｂの先端は、該凹部５Ａに嵌合するように凸部５Ｂを形成し、また、その先端から根元の外面１Ｂまでは脚部４Ａと同様、貫通孔形態に形成している。また、保持具１の方形状板状部の４側面のそれぞれには、梱包用バンド溝６が設けられている（図では、２箇所ずつ）。そして、この保持具１は、後記するように、一対となって両側からロール状物を挟持する。
【００２７】
ロール状物保持具は、樹脂、金属等で作られる。樹脂としては、ポリエチレン、ポリプロピレン等のオレフィン系樹脂、スチレン樹脂、アクリル樹脂、塩化ビニル樹脂、ポリアミド、ポリエステル、ＡＢＳ樹脂等の熱可塑性樹脂、フェノール樹脂、メラミン樹脂、エポキシ樹脂等の熱硬化性樹脂等が挙げられ、金属としては、鉄、アルミ、ステンレス等が挙げられるが、コスト、成形性等から熱可塑性樹脂の方が好ましい。
【００２８】
実施例２
実施例１の図１においては、脚部４Ｂ、（４Ａ）の長さと円筒状支持部２の長さは同寸法のＨで示したが、本実施例は図３に示すように、脚部４Ａ、４Ｂの長さＨ１は円筒状支持部２の長さＨ２よりも大きい場合を示している。
一般的に保持具１が複数個あればその寸法にはバラツキがあり、また使用している間に、ある程度の経年による寸法変化や変形は避けられない。したがって、この形態では、一対の保持具１として対向させて利用する際、脚部の先端同士より円筒状支持部２同士が先に当接することはなく、また、脚部の凹部５Ａと凸部５Ｂとは確実に嵌合・密着するので、安定したロール状物の保持構造が形成される。
【００２９】
実施例３
ロール状物保持具として安定した機能を発揮させるには、図１〜図３に示した一対の保持具１が対向し、且つ、対角線上の２個の脚部の先端に設けられた凹部５Ａと、残部の対角線上の２個の脚部の先端に設けられた凸部５Ｂとが嵌合するように組み付けられるが、この際、図４に示したように、一対の保持具１のそれぞれの脚部の長さを異なるようにしてもよい。すなわち、図４はロール状物が未装着時の状態で、且つ脚部の長さＨ１の保持具と、脚部の長さがＨ１より長いＨ３を有する保持具とを対向させて嵌合している状態を示している。
【００３０】
ロール状物保持具でロール状物を保持したロール状物保持構造については後述するが、図４の状態のロール状物保持具にロール状物が装着された上、通常、梱包用バンド溝６に梱包用バンド７が緊締されるが、脚部の凹部５Ａと凸部５Ｂとが嵌合することにより、一対の保持具同士は相互に回転が不可能になるので梱包体として極めて安定した保持構造を形成する。
【００３１】
このように、脚部の長さを異にする保持具を組み合わせることにより幅の異なるロール状物に対応でき、脚部の凹凸嵌合によって上記した安定した状態の保持構造とすることができる。
【００３２】
実施例４
次に、上記実施例３で示したロール状保持具を用いロール状物を保持したロール状物保持構造について説明する。
本実施例では、図５に示したように、帯状物１０が中空穴８を有する芯管９に巻回してなるロール状物１１の該芯管９に、ロール状物保持具の円筒状支持部２が内嵌して内嵌め形態で組み立てられ、且つ、脚部の長さがＨ４の左保持具１２と、脚部の長さがこのＨ４よりは長めのＨ５とした右保持具１３によってロール状物保持構造形成される。
【００３３】
そして、これら保持具１２、１３の各方形状板状部の内面１Ａとロール状物１１の端面とが密着した上、両保持具の脚部の先端同士はそれぞれ４箇所で嵌合し、さらに、一対の保持具として離脱しないように、２本または４本の梱包用バンド７によって緊締されている。尚、必要に応じ、シュリンクフィルムで被包してもよく、この場合は、ロール状物はホコリや湿気から保護される。
【００３４】
このロール状物保持構造によれば、左保持具１２と右保持具１３とは、脚部先端の凹部と凸部との嵌合によって一体化されるので、相互に回動ずれを生じることは無く、また、方形状板状部の内面１Ａにロール状物１１の端面が密着しているので、竹の子状に横方向に滑り出すことは無く、保管時は勿論のこと輸送時の信頼性は著しく向上する。
【００３５】
実施例５
本実施例のロール状物保持構造は、図６に示したように、保持具の円筒状支持部２がロール状物１１の芯管９に外嵌される外嵌め形態であって、一対の保持具の方形状板状部の内面１Ａとロール状物１１の端面との空間部に緩衝材１４を充填して相互に密着させている。これによって、ロール状物１１の側面を傷めることはなく、また竹の子状に横方向に滑り出すことを防止することができる。尚、緩衝材１４としては特に制限されないが、例えば、プラスチック製の袋内にエアーを封入したエアークッション等が好適である
【００３６】
実施例６
本実施例のロール状保持構造は、実施例４（図５）に示した内嵌めのロール状物保持構造において、方形状板状部の内面１Ａとロール状物１１の端面との間に緩衝材１４が充填されている。この場合は、脚部が凹凸嵌合していないので梱包用バンド７で緊締することが望ましい。また、必要に応じ、ストレッチフィルム、シュリンクフィルムで被覆することも好ましい。
【００３７】
実施例７
本実施例のロール状保持構造は、実施例５（図６）に示した外嵌めのロール状物保持構造において、方形状板状部の内面１Ａとロール状物１１の端面との間に緩衝材１４が充填され、全体がシュリンクフィルム１５で被覆されている。
【００３８】
以上説明したように、本発明のロール状物保持具は、実施例４や本実施例５で示したように、脚部同士を嵌合させて一体化することができ、これによって、ロール状物の芯管と嵌合している円筒状支持部との回転を不能にし、梱包体としてがたつきがなくなり、ロール状物の強固な保持構造が実現されるので、横置き、縦置きにかかわらず段積みしてもロール状物を傷めることがない。
また、強固なロール状物保持構造が実現されるので、これを別に準備した梱包容器内に隙間なく収容するような場合は、保持具がロール状物から離脱するおそれがないので梱包用バンドによる緊締は省略することができる。
【００３９】
また、本発明のロール状物保持具は、不使用時においては、図４に示したように、脚部の長さがＨ１のものに比べ、これと一対にされる比較的Ｈ３と長い保持具のような場合には、図４に示した状態のままで、必要に応じ、更に梱包用バンド溝６に梱包用バンド７を掛ければ安定した状態で段積みし保管・運搬が可能である。
また、図９に示すように、脚部の長さがＨ１と比較的短いような場合には、同方向に適宜嵌合しながら段積みした後、最上段のもののみ反転させて嵌合させ、必要に応じ、梱包用バンド溝６に梱包用バンド７を緊締すれば、前述と同様に体裁良く保管・運搬が可能である。なお、図９においては、脚部の長さがＨ１と全て同一寸法のものを示したが、この中にＨ１以外の寸法の保持具が混在していても良いことは勿論である。
【００４０】
【発明の効果】
叙上のように、本発明のロール状物保持具及びロール状物保持構造によれば、下記の如き多くの特徴及び利点を有する。
【００４１】
本発明のロール状物保持具は、方形状板状部の対角線上の２個の脚部の先端を凹部に形成し、残部の対角線上の２個の脚部の先端を前記凹部に嵌合するように凸部に形成したことにより、脚部同士を嵌合させて一体化することができ、これによって、ロール状物の芯管と嵌合している円筒状支持部との回転を不能にするので梱包体としてがたつきがなくなり、ロール状物の強固な保持構造を実現するので、保管・運搬が確実且つ容易になる。
【００４２】
また、方形状板状部の外面には複数の補強リブを形成しているので、方形の板状部の強度を一層増大させ、帯状製品の重量が大きい場合にも強度的に十分なロール状物保持具を提供することができる。
【００４３】
また、各保持具の脚部の長さを異ならしめることにより、保持具の組み合わせにより、広幅から狭幅までの幅の異なるロール状物を上記の如く安定した梱包体とすることができる。
【００４４】
さらに、保持具の方形状板状部の内面とロール状物の端面とを密着させておくようにすれば、帯状製品が側方に竹の子状に滑り出すのを防止することができるので、ロール状物の製品としての信頼性を保障することができる。
【００４５】
さらにまた、保持具の方形状板状部の内面とロール状物の端面との間に空間部が生じるような場合には、該空間部に緩衝材を充填することにより、ロール状物の端面を保護することが可能になる。
【図面の簡単な説明】
【図１】実施例１におけるロール状物保持具の構成を示す部分断面を示した側面図である。
【図２】同保持具の平面・Ｘ−Ｘ線断面図である。
【図３】実施例２におけるロール状物保持具の他の構成を示す側面図である。
【図４】実施例３におけるロール状物保持具の脚部の嵌合状態を示す側面図である。
【図５】実施例４のロール状物保持構造を示す一部切り欠き側面図である。
【図６】実施例５のロール状物保持構造を示す一部切り欠き側面図である。
【図７】実施例６のロール状物保持構造を示す一部切り欠き側面図である。
【図８】実施例７のロール状物保持構造を示す一部切り欠き側面図である。
【図９】ロール状物保持具の不使用時の段積み状態を示す側面図である。
【符号の説明】
１  ロール状物保持具
１Ａ    内面
１Ｂ  外面
２  円筒状支持部
３  補強リブ
４Ａ  脚部
４Ｂ  脚部
５Ａ  凹部
５Ｂ    凸部
６  梱包用バンド溝
７  梱包用バンド
８  中空穴
９  芯管
１０  帯状物
１１  ロール状物
１２  左保持具
１３  右保持具
１４  緩衝材
１５  シュリンクフィルム
【図１】
2005022660.tif 000003
【図２】
2005022660.tif 000004
【図３】
2005022660.tif 000005
【図４】
2005022660.tif 000006
【図５】
2005022660.tif 000007
【図６】
2005022660.tif 000008
【図７】
2005022660.tif 000009
【図８】
2005022660.tif 000010
【図９】
2005022660.tif 000011